(57)【要約】      （修正有）【課題】来訪者や帰宅者の足元も明るく照らすＬＥＤ使用門灯兼用表札を提供する。【解決手段】ＬＥＤ光源８はＬＥＤ光源保持板９に保持され、このＬＥＤ光源保持板９はＬＥＤ光源保持板固定具１０で固定される。そして、表札板２の上部小口１１の上方にＬＥＤ光源８が配置される。このＬＥＤの光が表示板の上部小口から入って表示板の下部小口で下方に放たれて足元を明るく照らす。なお表示板２は透明アクリル樹脂を用い、ＬＥＤの光で表示板２の表（おもて）面に描かれた名前や図形も明るく表示され、門灯兼用型表札の機能が発揮される。【選択図】図３
0003157999.tif 000002
【実用新案登録請求の範囲】
【請求項１】
玄関、門柱等に設置される表札において、
支持板に取り付けられた名前や図柄などを形成した表札板と
この表札板の上部小口の上方に配置された発光ダイオードと
からなることを特徴とする門灯兼用型表札。
【請求項２】
請求項１において、上記表札板の上部小口と発光ダイオードの間にカラーフィルターを設置したことを特徴とする門灯兼用型表札。
【請求項３】
請求項２において、上記カラーフィルターに貫通穴を設けたことを特徴とする門灯兼用型表札。
【考案の詳細な説明】
【技術分野】
【０００１】ＬＥＤを用い足元を照らし門灯機能を有する表札の構造に関する。
【背景技術】
【０００２】これまでの表札は夜間の来訪者に対し、表札の表（おもて）面に書かれた名前を見え易くするために木製の表札ではその上部にあるいは光を通過させるプラスチック製では表札裏（うら）面に光源を設置し、表札の名前を明るく照らして対応していた。また、光源としてＬＥＤを用いた表札としては下記特許文献が提案されており、支持板の下部にＬＥＤを設けると共に鏡体に裏面表示部、表面表示部を設け、鏡体側面下部よりＬＥＤ光を上に向けて照射する構造となっている。
【先行技術文献】
【特許文献】
【特許文献１】実用新案登録第３１３６８１５号公報
【０００３】
【考案の概要】
【考案が解決しようとする課題】
【０００４】近年、来訪者に対し、表札の機能は表札に書かれた名前などの可読性と視認性を確保することのみならず帰宅者も含めて優しく迎えるためにその足元部も明るく照らすニーズが高まっている。これに対応するには上記特許文献の表札構造では鏡体側面下部にＬＥＤを配置し上に向けてその光を照射するため、足元部を明るく照らすことが難しい。またＬＥＤの光の色調は使用するＬＥＤの特性により単色となるため、各種色調の光を季節や気分などで任意に選んで楽しむことができないなどの問題点がある。
【課題を解決するための手段】
【０００５】本考案は上記問題点を解決するためになされたＬＥＤ使用門灯兼用型表札である。
本考案は、玄関、門柱等に設置される表札において、支持板に取り付けられた名前や図柄などを形成した表札板と、この表札板の上部小口の上方に配置された発光ダイオードと、からなることを特徴とする門灯兼用型表札である。表示板は一般的にはアクリル樹脂などで作られており、この上部小口の上方に配置されたＬＥＤの光が表示板の上部小口から入って表札板に形成さた名前や図柄などを照らすと共に下部小口で下方に放たれて足元も明るく照らす。【０００６】また、本考案は、上記表札板の上部小口とＬＥＤの間にカラーフィルターを設置したことを特徴とする門灯兼用型表札である。フィルターの色を任意に選択することによって癒し的な色調、幻想的な雰囲気などを醸し出すことができる。なおこのカラーフィルターは表札の側面より着脱・交換自在に取り付けることが出来るものである。【０００７】また、本考案は、上記カラーフィルターに貫通穴を設けたことを特徴とする門灯兼用型表札である。貫通穴を設けることによってその部分を通過する光の明るさは貫通穴のない他の部分より強くなり、放射される光に濃淡が現れ、更に様々な光の変化を楽しむことができる。なお貫通穴の個数、サイズ、形状などは好みに応じて任意に選択することができる。
【考案の効果】
【０００８】本考案によれば発光ダイオードの光が表示板の上部小口から入って下部小口で下方に向かって明るさを維持したまま放たれるので効果的に足元を明るく照らすことができる。またカラーフィルターの設置、更にこれに貫通穴を設けることによって、光の強さ・色調などを任意に変更して楽しむことができると共に温かく迎えてくれる、癒し的な灯りを優しくともすことができる。
【図面の簡単な説明】
【０００９】
【図１】本考案の表札の正面図である。
【図２】本考案の表札の側面図である。
【図３】本考案の表札の側面図におけるＬＥＤ光源周辺部分の内部詳細図である。
【図４】カラーフィルターの使い方の例を示す図である。
【考案を実施するための形態】
【００１０】本考案について図面を用いて詳細に説明する。なおこれらの図面は一例を示すものであり、本考案の実施を限定するものではない。
【００１１】図１は本考案の表札の正面図を示す。表札１は表札板２とその上部にＬＥＤ光源などを納めるＬＥＤ等収納体３からなる。表札板２の表（おもて）面４には名前や好みの図形などが描かれている。なおボルト５にて表札板２とＬＥＤ等収納体３は後述する表札支持体６（図示せず）に固定される。
【００１２】図２は表札１の側面図を示す。表札１において、表札板２とＬＥＤ等収納体３はボルト５にて表札支持体６に保持される。この表札支持体６が門柱（図示せず）等に取り付けられ、表札が固定される。なおＬＥＤ光源への供給電圧制御のためのＡＣアダプターを収めるためのＡＣアダプター収納部７が取り付けられている。
【００１３】図３は本考案の表札の側面図におけるＬＥＤ光源周辺部分の内部詳細図である。ＬＥＤ光源８はＬＥＤ光源保持板９に保持され、このＬＥＤ光源保持板９はＬＥＤ光源保持板固定具１０で固定される。そして、表札板２の上部小口１１の上方にＬＥＤ光源８が配置される。このＬＥＤの光が表示板の上部小口から入って表示板の下部小口（図２の１２）で下方に放たれて足元を明るく照らす。なお表示板２は透明アクリル樹脂を用い、ＬＥＤの光で表示板２の表（おもて）面に描かれた名前や図形も明るく表示され、門灯兼用型表札の機能が発揮される。
【００１４】更に、本考案の特徴であるカラーフィルターについて説明する。カラーフィルターはプラスチック製の薄い板状のものが採用される。このカラーフィルター１３は図３に示す如く、上記表札板２の上部小口１１とＬＥＤの間に設置される。設置するカラーフィルターの色調などを任意に選択することによって癒し的な色調、幻想的な雰囲気などを醸し出すことができる。なおこのカラーフィルターはＬＥＤ等収納体３の側面より着脱・交換自在に取り付けることが出来るものである。また、このカラーフィルターに貫通穴を設けることができ、これによって放射される光に濃淡が現れ、更に様々な光の変化を楽しむことができる。次にカラーフィルターの使い方の数例について図４を用いて説明する。図４の（１）は単色のカラーフィルターを１枚用いた例である。図４の（２）は３種類の異なる色調を持つカラーフィルター３枚を繋げて用いた例である。図４の（３）は２種類の異なる色調を持つカラーフィルター２枚を中央部のみを重ねて用いた例である。図４の（４）丸い貫通穴を設けたカラーフィルターを用いた例である。このほかにも数色の色調を併せ持つカラーフィルターや模様を持つカラーフィルターなども考えられ、上記使用例に限定するものでなく、色んな色調、明るさ更には模様を自由に選択して楽しむことができる。
【符号の説明】
【００１５】１：表札、２：表札板、３：ＬＥＤ等収納体、４：表札板の表（おもて）面、５：ボルト、６：表札支持体、７：ＡＣアダプター収納部、８：ＬＥＤ光源、９：ＬＥＤ光源保持板、１０：ＬＥＤ光源保持板固定具、１１：表札板上部小口、１２：表示板の下部小口、１３：カラーフィルター、
【図１】
0003157999.tif 000003
【図２】
0003157999.tif 000004
【図３】
0003157999.tif 000005
【図４】
0003157999.tif 000006